(57)【要約】【課題】  車の走行中に運転者が選曲操作を頻繁に行わなくて済むように操作性、利便性を向上させることを目的とするものである。【解決手段】  曲データで選曲する車載音楽装置１であって、入力部１１と、走行状態検知部１２と、曲データを記録する記憶部１３と、検索制御部１４および表示部１５各々を接続し各部の動作の制御するシステム管理部を備えたものである。これにより、車の走行中に運転者が選曲操作の回数を減らしを操作性、利便性を向上させることができる。【選択図】図１
2011210323.tif 000002
【特許請求の範囲】
【請求項１】
曲データで選曲する車載音楽装置であって、
操作者からの操作を入力する入力部と、
車両の走行状態を検知する走行状態検知部と、
曲データを記録する記憶部と、
前記記録部の記憶している曲データの階層構造を有するとともに前記階層構造に基づいて選曲処理を制御する検索制御部と、
前記検知制御部が有する前記階層構造を表示する表示部と
入力部、走行状態検知部、記憶部、および、検索制御部と各々を接続し各部の動作を制御するシステム管理部を備え、
前記検索制御部より前記表示部に前記階層構造の最上位階層のカテゴリ一覧を表示し、
この最上位階層のカテゴリ一覧の１つが前記入力部より選択し入力し
この入力部より入力された、最上位階層がＳｏｎｇ以外であれば前記入力部より入力された、前記記録部に記録されている曲データの情報から前記入力部より入力された最上位階層のカテゴリ下位階層である前記第２階層のカテゴリと同一のカテゴリを抽出して前記表示部で表示し、
表示した前記第２階層のカテゴリ一覧の１つが前記入力部より選択し入力され、
前記走行状態検知部で車両が走行していると前記制御部で判断すると、前記第２階層のカテゴリ一覧で選択カテゴリの曲データを前記記録部から読み出し再生することを特徴とする車載音楽装置。
【発明の詳細な説明】
【技術分野】
【０００１】
本発明は、車の走行中における運転者の選曲操作の負荷を軽減する車載音楽装置に関するものである。
【背景技術】
【０００２】
従来の車載音楽装置は、曲が持つ複数の属性および分類項目を基に規定した階層構造に従って、曲データを検索し検索画面を表示するものが知られている（例えば特許文献１参照）。車載音楽装置では、上位階層のメニュータイトルからメニュー項目のＰｌａｙｌｉｓｔ、Ｇｅｎｒｅ、Ａｒｔｉｓｔ、Ａｌｂｕｍ、Ｃｏｍｐｏｓｅｒ、および、Ｓｏｎｇを表示する。表示されたメニュー項目から選択を行う場合、選択したメニュー項目によっては上記メニュタイトルから選曲までの操作回数が、最低２回から最高５回の操作回数が必要となる。例えば、メニュータイトルから第１階層の「Ｇｅｎｒｅ」を選択する（１回目）と第２階層の「Ｇｅｎｒｅ一覧」が表示される。次に「Ｇｅｎｒｅ一覧」の１つを選択する（２回目）と第３階層の「Ａｒｔｉｓｔ一覧」表示される。次に「Ａｒｔｉｓｔ一覧」の１つを選択する（３回目）と第４階層の「Ａｌｂｕｍ一覧」が表示される。次に、Ａｌｂｕｍ一覧の１つを選択する（４回目）と第５階層の「Ｓｏｎｇ一覧」が表示される。最後にＳｏｎｇ一覧から１つの曲を選択（５回目）して曲を再生をする。  このように、メニュータイトルから「Ｇｅｎｒｅ」を選択すると曲の再生のためには第１階層から５回の操作が必要となる。また、メニュータイトルから第１階層の「Ｓｏｎｇ」を選択すると「Ｓｏｎｇ一覧」となり全ての曲が選択の対象となる。この場合、全ての曲の中から操作者が所望する曲を選択する。そのため、所望する曲を選曲するまで複数の操作回数が必要となる。
【先行技術文献】
【特許文献】
【０００３】
【特許文献１】特開２００６−２８５８９５号公報（図１）
【発明の概要】
【発明が解決しようとする課題】
【０００４】
しかしながら、操作回数が多いとデータを読み込む時間が長くなるため、画面を確認する時間や回数が多くなる。そのため、車の走行中に運転者が選曲する場合、運転者が所望する曲を得るまでは運転中に選曲操作を複数回行わなければならず、車の運転操作に集中できなくなるという課題がある。
【０００５】
本発明は、従来の課題を解決するためになされたもので、車の走行中に運転者が選曲操作の回数を減らしを操作性、利便性を向上した車載音楽装置を提供することを目的とする。
【課題を解決するための手段】
【０００６】
本発明の車載音楽装置は操作者からの操作を入力する入力部と、車の走行状態を判断する走行状態検知部と、曲データを記録する記憶部と、記録部の記憶している音楽データの階層構造を有するとともに前記階層構造に基づいて選曲処理を制御する検索制御部および、階層構造を表示する表示部各々を接続し各部の動作の制御するシステム管理部を備えた構成であることを特徴としている。
【発明の効果】
【０００７】
本発明によれば、現在の走行中または停止中の走行状態を検知する走行状態検知部と、曲データが分類されている階層構造に基づいて選曲処理を制御する検索制御部とを設けることにより、走行中である場合は、最上位階層のＳｏｎｇ以外の選択であれば最上位階層の直下の階層である第２階層を選択することで、第３階層以下の階層を選択しなくても曲の再生ができるようにすることができる。
これにより、車の走行中に運転者が選曲操作の回数を減らしを操作性、利便性を向上させるという効果を奏する。
【図面の簡単な説明】
【０００８】
【図１】本発明の一実施の形態における車載音楽装置のブロック図
【図２】本発明の一実施の形態における車載音楽装置の階層構造を説明する図
【図３】本発明の一実施の形態における車載音楽装置の動作説明のためのフロー図
【図４】本発明の一実施の形態における車載音楽装置のカテゴリリストを表示した表示部の表示例の説明図
【図５】本発明の一実施の形態における車載音楽装置のアーティストリストを表示した表示部の表示例の説明図
【図６】本発明の一実施の形態における車載音楽装置のアーティストリストにて選択されたリスト内のアルバムリストを表示した表示部の表示例の説明図
【発明を実施するための形態】
【０００９】
以下、本発明の一実施の形態の車載音楽装置について図面を参照しながら説明する。
【００１０】
図１は本発明の一実施の形態における車載音楽装置のブロック図である。また、図２は本発明の一実施の形態における車載音楽装置の階層構造を示す説明する図である。
【００１１】
図１において１１は入力部で、システム管理部１７と接続される。操作者が選曲画面へ切り替えや選択をおこなうものである。操作者が選曲画面へ切り替えるための切り替え操作信号や「Ｓｏｎｇ」、「Ｇｅｎｒｅ」、「Ａｒｔｉｓｔ」、「Ａｌｂｕｍ」および、「Ｐｌａｙｌｉｓｔ」などのカテゴリ一覧を操作者が選択したときのカテゴリ一覧の選択信号を出力する。
【００１２】
１２は走行状態検知部で、システム管理部１７と接続される。車の走行情報、例えば、車が走行しているのか否かを、車両からの車速パルス（図示なし）より検知する。
【００１３】
１３は記録部で、システム管理部１７と接続される。ＣＤや携帯音楽再生機器からの曲データを記録する。この、曲データには各曲毎に「Ｇｅｎｒｅ」、「Ａｒｔｉｓｔ」、「Ａｌｂｕｍ」、「Ｃｏｍｐｏｓｅｒ」および、「Ｐｌａｙｌｉｓｔ」などのメニュー項目を有しているる。
【００１４】
１４は検索制御部で、システム管理部１７と接続される。選曲するための階層構造（図２）をあらかじめ記録している。
検索制御部１４はシステム管理部１７と接続されている。
【００１５】
１５は表示部で、システム管理部１７を接続される。選曲のためのカテゴリ一覧や現在演奏中のカテゴリなどを表示する。
【００１６】
１６は再生制御部で、システム管理部１７を接続される。システム管理部１７を介して検索制御部１４で決定された階層の曲を再生する。
【００１７】
１７はシステム管理部であり入力部１１や走行検知状態部１２、記録部１３、検索制御
部１４、表示部１５、再生部１６と接続され、車載音楽装置１を構成する各部の動作の制御することができるように構成している。
【００１８】
例えば、操作者が選曲画面にするために入力部１１より選曲画面への変更を操作する。選曲画面へ切り替えるための切り替え操作信号がシステム管理部１７を介して検索制御部１４に入力される。検索制御部１４はシステム管理部１７を介して表示部１５に階層構造の最上位階層である第１階層のカテゴリの「Ｇｅｎｒｅ」、「Ａｒｔｉｓｔ」、「Ａｌｂｕｍ」、「Ｓｏｎｇ」、「Ｃｏｍｐｏｓｅｒ」、および、「Ｐｌａｙｌｉｓｔ」を表示させる。
【００１９】
図２は本発明の一実施の形態における車載音楽装置の階層構造を説明する図である。この検索制御部１４に記録されている階層構造を図２を用いてを説明する。図２の階層構造では第１階層から第５階層で構成されている。第１階層は最上位階層であり第５階層は最下位階層である。第１階層には「Ｇｅｎｒｅ」、「Ａｒｔｉｓｔ」、「Ａｌｂｕｍ」、「Ｓｏｎｇ」、「Ｃｏｍｐｏｓｅｒ」、および、「Ｐｌａｙｌｉｓｔ」のカテゴリがある。
【００２０】
操作者は選曲するとき、まずこの第１階層の中から１つ選んで選曲操作を開始する。例えば、第１階層「Ｇｅｎｒｅ」の下位階層には第２階層の「Ｇｅｎｒｅ一覧」が属する。次に、第２階層の「Ｇｅｎｒｅ一覧」の下位階層には第３階層の「Ａｒｔｉｓｔ一覧」が属する。次に、第３階層の「Ａｒｔｉｓｔ一覧」の下位階層には第４階層の「Ａｌｂｕｍ一覧」が属する。次に、第４階層の「Ａｌｂｕｍ一覧」の下位階層には第５階層の「Ｓｏｎｇ一覧」が属する５つの階層構造である。
【００２１】
他の第１階層の各カテゴリの「Ａｒｔｉｓｔ」、「Ａｌｂｕｍ」、「Ｓｏｎｇ」、「Ｃｏｍｐｏｓｅｒ」、および、「Ｐｌａｙｌｉｓｔ」も階層数は異なるが、第１階層からそれぞれの下位階層構造を有している。例えば、第１階層が「Ｓｏｎｇ」の階層数は第２階層の「Ｓｏｎｇ一覧」で選曲ができ階層数は２つである。しかし、第１階層が「Ｇｅｎｒｅ」の階層数は「Ｓｏｎｇ一覧」まで第５階層あり選曲するまでの階層数は５つある。そのため、第１階層の項目の選択により操作者は、最低２回から最大５回の範囲で選曲操作を実施する。なお、階層数は５つに限定されることはない。
表示部１５に表示している第１階層の１つを操作者が選択すると、検索制御部１４には選択された第１階層の選択信号がシステム管理部１７を介して入力される。
【００２２】
選択された第１階層カテゴリの下位階層にある第２階層カテゴリ一覧の作成は、記録部１３の曲データから第２階層カテゴリに属するカテゴリーを選択して作成する。例えば、図２の第１階層の「Ｇｅｎｒｅ」を選択すると、記録部１３に記録されている曲データの中の「Ｇｅｎｒｅ」を抽出する。抽出した「Ｇｅｎｒｅ」を第２階層の「Ｇｅｎｒｅ一覧」としてロック、ジャズ、クラッシックが表示部１５で表示される。
【００２３】
次に、表示部１５に表示している第２階層の１つを操作者が選択すると、検索制御部１４には選択された第２階層の選択信号がシステム管理部１７を介して入力される。
【００２４】
次に、検索制御部１４はシステム管理部１７を介して、走行状態検知部１２からの車が走行しているのか否かを取得する。車が走行している場合は、第２階層の中から選択した1つのカテゴリの中の曲の再生を決定する。
【００２５】
例えば、「Ｇｅｎｒｅ一覧」のロック、ジャズ、クラッシックからジャズを選択し、かつ、車が走行中の場合は、記録部１３に記録されているジャズの曲を全て再生する。
【００２６】
以上のように構成された車載音楽装置１について、図３〜６を用いてその動作を説明する。
図３は本発明の一実施の形態における車載音楽装置の動作説明のためのフロー図である。また図４から図６は表示部における表示例を示している。
【００２７】
まず、操作者が選曲画面へ切り替えるための入力部１１を操作する。操作者が入力部１１を操作すると、選曲画面へ切り替えるための切り替え操作信号がシステム管理部１７に入力され、表示部１５に表示している画面を選曲画面へ切り替える（Ｓ１）。
【００２８】
次に、システム管理部１７は、図２で示した階層構造の第１階層である「Ｇｅｎｒｅ」、「Ａｒｔｉｓｔ」、「Ａｌｂｕｍ」、「Ｓｏｎｇ」、「Ｃｏｍｐｏｓｅｒ」、および、「Ｐｌａｙｌｉｓｔ」を表示部１５に表示する（Ｓ２）。
【００２９】
図４に示すように表示部１５の画面２０には、リスト名表示部２１、カテゴリリスト表示部２８、スクロールバー２９は表示される。リスト名表示部２１は「ＴＯＰＭＥＮＵ」を表示する。情報リスト表示部２８は検索制御部１４に記録されている階層カテゴリの第１階層のカテゴリを表示する。上から「Ｇｅｎｒｅ」、「Ａｒｔｉｓｔ」、「Ａｌｂｕｍ」、「Ｓｏｎｇ」、「Ｃｏｍｐｏｓｅｒ」と表示する。カテゴリリスト表示部２８に表示されていない「Ｐｌａｙｌｉｓｔ」は、スクロールバー２９を下に操作することにより情報リスト表示部２８の内容がスクロールされ「Ｐｌａｙｌｉｓｔ」を表示する。
【００３０】
次に、情報リスト表示部２８に表示している第１階層のカテゴリの中から、操作者がＳｏｎｇ以外のカテゴリの1つを選択したかを判断する（Ｓ３）。Ｓｏｎｇを選択した場合（Ｓ３、Ｎｏ）、終了する。
ステップ３に戻って、Ｓｏｎｇ以外のカテゴリ一覧を選択したとき（Ｓ３、ＹＥＳ）、選択されたカテゴリ一覧の選択信号をシステム管理部１７に出力する。
【００３１】
次に、選択された第１階層のカテゴリに属する第２階層のカテゴリ一覧を表示部１５に表示する（Ｓ４）。例えば、ステップ３で操作者は「Ａｒｔｉｓｔ」を選択すると、第２階層の「Ａｒｔｉｓｔ一覧」として記録部１３に記録されている曲データの「Ａｒｔｉｓｔ」情報から「ＡｒｔｉｓｔＡ」「ＡｒｔｉｓｔＢ」など「Ａｒｔｉｓｔ」のカテゴリ一覧を表示部１５に表示する。ステップ４の表示部１５への表示の例を図５に示す。図５において図４と異なる点はリスト名表示部２１と情報リスト表示部２８の表示内容である。リスト名表示部２１は再生リストのリスト名「Ａｒｔｉｓｔ  Ｌｉｓｔ」を表示する。また、情報リスト表示部２８は、「ＡｒｔｉｓｔＡ〜ＡｒｔｉｓｔＥ」を表示する。
【００３２】
次に、表示部１５に表示している第２階層のカテゴリ一覧から操作者が1つのカテゴリを選択し入力部１１から入力する（Ｓ５）。例えば、図５を参照し説明すると、情報リスト表示部２８の内容の「ＡｒｔｉｓｔＡ〜ＡｒｔｉｓｔＥ」の中から、操作者が「ＡｒｔｉｓｔＡ」を選択すると、入力部１１からシステム管理部１７に「ＡｒｔｉｓｔＡ」を選択した選択信号が出力される。なお「ＡｒｔｉｓｔＡ」を選択すると、「ＡｒｔｉｓｔＡ」を選択したことがわかるように「ＡｒｔｉｓｔＡ」の文字が太くなったり、「ＡｒｔｉｓｔＡ」の文字に下線が表示される。
【００３３】
次に、システム管理部１７は走行状態検知部１２から車の走行情報を検出し走行しているのか否かを判断する（Ｓ６）。走行状態検知部１２より車が走行中であれば（Ｓ６、ＹＥＳ）、システム管理部１７はステップ５で選択されたカテゴリの曲の再生を開始するように再生制御部１６へ指示し、選択されたカテゴリ一覧の曲を再生を開始する。（Ｓ７）
例えば、図５で「ＡｒｔｉｓｔＡ」を選択すると「ＡｒｔｉｓｔＡ」の曲を全曲再生する。
【００３４】
また、ステップ６に戻って、システム管理部１７は走行状態検知部１２から走行状態を検出し車両が停止中であれば（Ｓ６、ＮＯ）、検索制御部１４にて選択されたカテゴリ一覧よりもさらに下位階層が存在するかどうかを判定する（Ｓ８）。車両が走行していない時の選曲操作のため、第２階層よりも下の階層まで選曲操作してもよい。
下位階層が存在しない場合（Ｓ８、ＹＥＳ）システム管理部１７は選択されたカテゴリ一覧を再生開始するよう再生制御部１６へ指示し曲を再生する（Ｓ９）。
【００３５】
また、 ステップ８に戻って、選択されたカテゴリ一覧の下位階層に第３階層が存在する場合は、システム管理部１７は、検索制御部１４から選択された第３階層のカテゴリ一覧を取得し、表示部１５へ選択された第３階層のカテゴリ一覧を表示するように指示する（Ｓ１０）。図６は操作者が「Ａｒｔｉｓｔ」一覧から、「ＡｒｔｉｓｔＡ」選択した時の「ＡｒｔｉｓｔＡ」の「Ａｌｂｕｍリスト」を示す。例えば、図６において図４と異なる点はリスト名表示部２１表示内容と情報リスト表示部２８である。リスト名表示部２１はステップ８で選択した「ＡｒｔｉｓｔＡ」を表示している。情報リスト表示部２８では「ＡｌｕｂｕｍＡ〜ＡｌｕｂｕｍＥ」が表示され、操作者は表示している「Ａｌｕｂｕｍ」から聞きたいアルバムを選択できる。
【００３６】
次に、表示部１５に表示している第３階層のカテゴリ一覧から１つを選択する（Ｓ１１）。例えば、操作者はアルバムリスト表示部３０の「ＡｌｕｂｕｍＡ〜ＡｌｕｂｕｍＥ」から、「ＡｌｕｂｕｍＡ」を選択する。第３階層のカテゴリ一覧の１つを選択するとステップ８に戻りさらに下位階層があるかを判断する（Ｓ８）。下位階層があればステップ１０に進み、下位下層がなければステップ９に進む。車が停止している場合は曲が決まるまではステップ８、ステップ１０、およびステップ１１が繰り返される。
【００３７】
このような本発明の実施の形態のデータ処理装置によれば、現在の走行中または停止中の走行状態を検知する走行状態検知部と、曲データが分類している階層構造に基づいて選曲処理を制御する検索制御部とを設けることにより、第３階層以上あるＰｌａｙｌｉｓｔ、Ｇｅｎｒｅ、Ａｒｔｉｓｔ、Ａｌｂｕｍ、Ｃｏｍｐｏｓｅｒで選曲を開始した場合、車の走行中に運転者が選曲操作を頻繁に行わなくて済むように操作性、利便性を向上させる効果を奏する。
【００３８】
第１階層の選択で再生すると、単に選択した項目で並び替えられた曲が再生されるために全曲再生になる。操作回数を減らして曲の再生にはなるが操作者の希望の曲が聞けるまでには時間がかかると考えられる。そのため、第１カテゴリの表示からで２回の選択により選曲操作が実施されるように制御する。
【産業上の利用可能性】
【００３９】
本発明にかかる車載音楽装置は、車の走行中に運転者が選曲操作を頻繁に行わなくて済むように操作性、利便性を向上させる車載音楽装置として有用である。
【符号の説明】
【００４０】
１  車載音楽装置
１１  入力部
１２  走行状態検知部
１３  記録部
１４  検索制御部
１５  表示部
１６  再生制御部
１７  システム管理部
【図１】
2011210323.tif 000003
【図２】
2011210323.tif 000004
【図３】
2011210323.tif 000005
【図４】
2011210323.tif 000006
【図５】
2011210323.tif 000007
【図６】
2011210323.tif 000008